(57)【要約】【課題】従来技術に比較して小さい伝送損失でかつ簡単に無線信号を給電できる電子機器の給電方法を提供できる。【解決手段】携帯型ＣＤプレーヤ１００は、開状態と閉状態で互いに開閉可能な本体筐体１とカバー筐体２を備えた電子機器である。本体筐体１は無線信号を発生して出力端を介して出力する無線送信回路１２と、無線送信回路１２の出力端に接続された給電用コイル１４とを含む。カバー筐体２は閉状態のときに給電用コイル１４に電磁的に結合するように近接して設けられた給電用コイル１５と、給電用コイル１５に接続され無線信号を送信するアンテナ１７とを含む。無線送信回路１２により発生された無線信号を給電用コイル１４，１５を介してアンテナ１７に給電する。【選択図】図１
2008098992.tif 000002
【特許請求の範囲】
【請求項１】
開状態と閉状態で互いに開閉可能な第１と第２の筐体を備えた電子機器において、
上記第１の筐体は、
所定の無線信号を発生して出力端を介して出力する無線送信回路と、
上記無線送信回路の出力端に接続された給電用第１のコイルとを備え、
上記第２の筐体は、
上記閉状態のときに上記第１のコイルに電磁的に結合するように近接して設けられた給電用第２のコイルと、
上記第２のコイルに接続され、上記無線信号を送信するアンテナとを備えたことを特徴とする電子機器。
【請求項２】
上記無線送信回路と上記第１のコイルとの間に挿入された第１のインピーダンス整合回路と、
上記第２のコイルと上記アンテナとの間に挿入された第２のインピーダンス整合回路とをさらに備えたことを特徴とする請求項１記載の電子機器。
【請求項３】
上記第１の筐体は上記電子機器の本体であり、
上記第２の筐体は上記電子機器のカバーであることを特徴とする請求項１又は２記載の電子機器。
【請求項４】
開状態と閉状態で互いに開閉可能な第１と第２の筐体を備えた電子機器における無線信号の給電方法であって、
上記第１の筐体は、
所定の無線信号を発生して出力端を介して出力する無線送信回路と、
上記無線送信回路の出力端に接続された給電用第１のコイルとを備え、
上記第２の筐体は、
上記閉状態のときに上記第１のコイルに電磁的に結合するように近接して設けられた給電用第２のコイルと、
上記第２のコイルに接続され、上記無線信号を送信するアンテナとを備え、
上記無線送信回路により発生された無線信号を上記第１のコイルと上記第２のコイルとを介して上記アンテナに給電することを特徴とする電子機器の給電方法。
【請求項５】
上記無線送信回路と上記第１のコイルとの間に挿入された第１のインピーダンス整合回路と、
上記第２のコイルと上記アンテナとの間に挿入された第２のインピーダンス整合回路とをさらに備えたことを特徴とする請求項４記載の電子機器の給電方法。
【請求項６】
上記第１の筐体は上記電子機器の本体であり、
上記第２の筐体は上記電子機器のカバーであることを特徴とする請求項４又は５記載の電子機器の給電方法。
【発明の詳細な説明】
【技術分野】
【０００１】
本発明は、例えば携帯型ＣＤプレーヤや携帯型ＭＰ３プレーヤなどの携帯型音楽プレーヤなどの電子機器とその無線信号の給電方法に関する。
【背景技術】
【０００２】
無線ＬＡＮシステムやブルーツゥース（Ｂｌｕｅｔｏｏｔｈ）の普及に伴い、無線を応用したＡＶ民生機器の需要が増えているが、そこに内蔵されているアンテナ配置に関しては、技術的な工夫や問題点がまだまだ多い。例えば、携帯型ＣＤプレーヤなどのコンパクトな製品の中に、無線機器を組み込む場合、その筐体は、アルミニウムやマグネシウム等、剛性を保つ理由で金属材料を使用するため、アンテナからの放射特性に悪影響を及ぼす。なお、無線信号を用いた音楽再生装置については、例えば特許文献１において開示されている。
【０００３】
【特許文献１】特開２００２−１１２３８３号公報。
【発明の開示】
【発明が解決しようとする課題】
【０００４】
これらの問題点を解決するため、主に携帯電話では、ディスプレイ部などアンテナを理想的な場所に配置し、アンテナ部までは同軸ケーブルによって接続を行う。ただし、無線部は筐体下部に内蔵されることが多いため、同軸ケーブルの引き回しも容易ではないうえ、伝送損失も大きく実用的とはいえない。
【０００５】
本発明の目的は以上の問題点を解決し、従来技術に比較して小さい伝送損失でかつ簡単に無線信号を給電できる電子機器の給電方法を提供することにある。
【課題を解決するための手段】
【０００６】
第１の本発明に係る電子機器は、開状態と閉状態で互いに開閉可能な第１と第２の筐体を備えた電子機器において、
上記第１の筐体は、
所定の無線信号を発生して出力端を介して出力する無線送信回路と、
上記無線送信回路の出力端に接続された給電用第１のコイルとを備え、
上記第２の筐体は、
上記閉状態のときに上記第１のコイルに電磁的に結合するように近接して設けられた給電用第２のコイルと、
上記第２のコイルに接続され、上記無線信号を送信するアンテナとを備えたことを特徴とする。
【０００７】
上記電子機器において、上記無線送信回路と上記第１のコイルとの間に挿入された第１のインピーダンス整合回路と、
上記第２のコイルと上記アンテナとの間に挿入された第２のインピーダンス整合回路とをさらに備えたことを特徴とする。
【０００８】
また、上記電子機器において、上記第１の筐体は上記電子機器の本体であり、
上記第２の筐体は上記電子機器のカバーであることを特徴とする。
【０００９】
第２の発明に係る電子機器の給電方法は、開状態と閉状態で互いに開閉可能な第１と第２の筐体を備えた電子機器における無線信号の給電方法であって、
上記第１の筐体は、
所定の無線信号を発生して出力端を介して出力する無線送信回路と、
上記無線送信回路の出力端に接続された給電用第１のコイルとを備え、
上記第２の筐体は、
上記閉状態のときに上記第１のコイルに電磁的に結合するように近接して設けられた給電用第２のコイルと、
上記第２のコイルに接続され、上記無線信号を送信するアンテナとを備え、
上記無線送信回路により発生された無線信号を上記第１のコイルと上記第２のコイルとを介して上記アンテナに給電することを特徴とする。
【００１０】
上記電子機器の給電方法において、上記無線送信回路と上記第１のコイルとの間に挿入された第１のインピーダンス整合回路と、
上記第２のコイルと上記アンテナとの間に挿入された第２のインピーダンス整合回路とをさらに備えたことを特徴とする。
【００１１】
また、上記電子機器の給電方法において、上記第１の筐体は上記電子機器の本体であり、
上記第２の筐体は上記電子機器のカバーであることを特徴とする。
【発明の効果】
【００１２】
本発明に係る電子機器とその給電方法によれば、開状態と閉状態で互いに開閉可能な第１と第２の筐体を備えた電子機器における無線信号の給電方法であり、上記第１の筐体は、所定の無線信号を発生して出力端を介して出力する無線送信回路と、上記無線送信回路の出力端に接続された給電用第１のコイルとを備え、上記第２の筐体は、上記閉状態のときに上記第１のコイルに電磁的に結合するように近接して設けられた給電用第２のコイルと、上記第２のコイルに接続され、上記無線信号を送信するアンテナとを備え、上記無線送信回路により発生された無線信号を上記第１のコイルと上記第２のコイルとを介して上記アンテナに給電する。従って、上記電子機器内の無線送信回路から出力される無線信号を、同軸ケーブルを使用することなくアンテナへ給電し、アンテナを理想的な場所に配置することが容易となる。これにより、従来技術に比較して小さい伝送損失でかつ簡単に無線信号を給電できる電子機器の給電方法を提供できる。
【発明を実施するための最良の形態】
【００１３】
以下、本発明に係る実施形態について図面を参照して説明する。なお、以下の各実施形態において、同様の構成要素については同一の符号を付している。
【００１４】
実施形態．
図１は本発明の実施形態に係る携帯型ＣＤプレーヤ１００の本体筐体１及びカバー筐体２、並びにリモートコントローラ３の各回路構成を示すブロック図であり、図２は図１の携帯型ＣＤプレーヤ１００の外観を示す一部破断斜視図であり、図３は閉状態における図１の給電用コイル１４，１５及びアンテナ１７付近の外観を示す一部破断斜視図である。本実施形態に係る電子機器である携帯型ＣＤプレーヤ１００の無線信号の給電回路では、図１及び図３に示すように、本体筐体１に給電用コイル１４と、アンテナ１７に接続され、給電用コイル１４と対向しかつ電磁的に結合するようにカバー筐体２に設けられた給電用コイル１５とを備え、無線送信回路１２からの無線信号を給電用コイル１４，１５を介してアンテナ１７に給電することを特徴としている。
【００１５】
図１において、本体筐体１は構成要素１０−１４を収容し、本体筐体１に１軸で開閉可能にカバー筐体２が連結される。カバー筐体２は構成要素１５−１７を収容し、リモートコントローラ３は構成要素２１−２４を収容する。リモートコントローラ３は本体筐体１の動作を遠隔制御する機能（図示せず。）を有するとともに、本体筐体１で再生された音楽信号などの音声信号の無線信号を受信してイヤホン又はスピーカ２５により再生する。
【００１６】
本体筐体１のＣＤドライブ１０により取り出された音楽信号などの音声信号のデータはＣＤ再生回路１１で音声信号に再生された後、無線送信回路１２に入力される。無線送信回路１２は入力される音声信号に従って、無線搬送波信号を所定のディジタル変調方式でディジタル変調し、変更後の無線信号をインピーダンス整合回路１３を介して給電用コイル１４に出力する。ここで、インピーダンス整合回路１３はインダクタＬ１とキャパシタＣ１にてなるＬＣ回路であって、無線送信回路１２の出力端子と給電用コイル１４との間のインピーダンスを整合するために設けられる。
【００１７】
カバー筐体２の給電用コイル１５は、図３に示すように、閉状態において、給電用コイル１４と互いに対向して電磁的に相互結合Ｍするように近接した位置に設けられる。ここで、給電用コイル１４，１５は例えば鉄心入りコイルである。給電用コイル１４，１５は互いに電磁的に結合しているので、給電用コイル１４に入力された無線信号は給電用コイル１５に伝達された後、インピーダンス整合回路１６を介してアンテナ１７に出力されてリモートコントローラ３に対して放射される。ここで、インピーダンス整合回路１４はインダクタＬ２とキャパシタＣ２にてなるＬＣ回路であって、アンテナ１７の給電点１７ｐと給電用コイル１５との間のインピーダンスを整合するために設けられる。
【００１８】
リモートコントローラ３のアンテナ２１はアンテナ１７により送信された無線信号を受信して無線受信回路２２に出力する。無線受信回路２２は入力される無線信号を音声信号に復調して音声再生回路２３に出力し、音声再生回路２３は入力される音声信号を増幅した後、出力端子２４を介してイヤホン又はスピーカ２５に出力する。
【００１９】
図２において、カバー筐体２の外側表面近傍に、例えば逆Ｆ型アンテナであるアンテナ１７が内蔵されている。また、図３において、給電用コイル１４，１５は互いに鉄心軸が一致するように設けられ、互いに電磁的に相互結合する。アンテナ１７はアンテナ素子１７ｃと給電線１７ａと短絡線１７ｂとを備えて構成される。カバー筐体２の筐体となる接地導体１８は短絡線１７ｂを介してアンテナ素子１７ｃの一端に接続され、給電用コイル１５に接続される給電点１７ｐは給電線１７ａを介してアンテナ素子１７ｃの素子の所定の中間位置に接続される。
【００２０】
図４（ａ）は図１の携帯型ＣＤプレーヤ１００の本体筐体１の内部の平面図であり、図４（ｂ）はその本体筐体１の内部の正面図であり、図４（ｃ）は図１の携帯型ＣＤプレーヤ１００のカバー筐体２の内部の正面図であり、図４（ｄ）はそのカバー筐体２の内部の平面図である。図４（ａ）において、インピーダンス整合回路１３からの給電接続点１４ｐは給電線１４ａを介して給電用コイル１４に接続されている。図４（ｂ）において給電用コイル１４が図示され、図４（ｃ）において給電用コイル１５が図示されている。図４（ｄ）において、アンテナ１７は図３を参照して説明したように構成されている。
【００２１】
以上説明したように、本実施形態に係る携帯型ＣＤプレーヤ１００によれば、その無線信号の給電回路では、本体筐体１に給電用コイル１４と、アンテナ１７に接続され、給電用コイル１４と対向しかつ電磁的に結合するようにカバー筐体２に設けられた給電用コイル１５とを備え、無線送信回路１２からの無線信号を給電用コイル１４，１５を介してアンテナ１７に給電するので、無線送信回路１２から出力される無線信号を、同軸ケーブルを使用することなくアンテナへ給電し、アンテナを理想的な場所に配置することが容易となる。これにより、従来技術に比較して小さい伝送損失でかつ簡単に無線信号を給電できる電子機器の給電方法を提供できる。
【００２２】
変形例．
図５は本発明の変形例に係る携帯型ＣＤプレーヤ１００Ａの外観を示す一部破断斜視図であり、図６（ａ）は図５の携帯型ＣＤプレーヤ１００Ａの本体筐体１の内部の平面図であり、図６（ｂ）はその本体筐体１の内部の正面図であり、図６（ｃ）は図５の携帯型ＣＤプレーヤ１００Ａのカバー筐体２の内部の正面図であり、図６（ｄ）はそのカバー筐体２の内部の平面図である。この変形例では、実施形態に係る逆Ｆ型アンテナ１７に代えて、板状逆Ｆ型アンテナであるアンテナ１７Ａを用いたことを特徴としている。
【００２３】
図５において、カバー筐体２の外側表面近傍に、アンテナ１７Ａが内蔵されている。図６（ａ）において、インピーダンス整合回路１３からの給電接続点１４ｐは給電線１４ａを介して給電用コイル１４に接続されている。また、接地導体１９において複数のスルーホール導体１９ｓにより裏面の接地導体に接続される。図６（ｂ）において給電用コイル１４が図示され、図６（ｃ）において給電用コイル１５が図示されている。当該変形例においても、実施形態と同様に、給電用コイル１４，１５は互いに鉄心軸が一致するように設けられ、互いに電磁的に相互結合する。図６（ｄ）において、アンテナ１７Ａは板状のアンテナ素子１７ｃｐを備えて構成され、給電点１７ｐにおいて給電され、複数のスルーホール導体１７ｓにより接地導体に接地されている。以上のようにして、板状逆Ｆ型アンテナ１７Ａが形成されている。
【００２４】
以上のように構成された変形例に係る携帯型ＣＤプレーヤ１００Ａにおいても、実施形態と同様の作用効果を有する。
【産業上の利用可能性】
【００２５】
以上詳述したように、本発明に係る電子機器とその給電方法によれば、開状態と閉状態で互いに開閉可能な第１と第２の筐体を備えた電子機器における無線信号の給電方法であり、上記第１の筐体は、所定の無線信号を発生して出力端を介して出力する無線送信回路と、上記無線送信回路の出力端に接続された給電用第１のコイルとを備え、上記第２の筐体は、上記閉状態のときに上記第１のコイルに電磁的に結合するように近接して設けられた給電用第２のコイルと、上記第２のコイルに接続され、上記無線信号を送信するアンテナとを備え、上記無線送信回路により発生された無線信号を上記第１のコイルと上記第２のコイルとを介して上記アンテナに給電する。従って、上記電子機器内の無線送信回路から出力される無線信号を、同軸ケーブルを使用することなくアンテナへ給電し、アンテナを理想的な場所に配置することが容易となる。これにより、従来技術に比較して小さい伝送損失でかつ簡単に無線信号を給電できる電子機器の給電方法を提供できる。
【００２６】
本発明は、特に、無線ＬＡＮやブルーツゥース（Ｂｌｕｅｏｏｔｈ）を応用した家電製品、及びその他の無線通信を利用した電子機器すべてに適用可能である。
【図面の簡単な説明】
【００２７】
【図１】本発明の実施形態に係る携帯型ＣＤプレーヤ１００の本体筐体１及びカバー筐体２、並びにリモートコントローラ３の各回路構成を示すブロック図である。
【図２】図１の携帯型ＣＤプレーヤ１００の外観を示す一部破断斜視図である。
【図３】図１の給電用コイル１４，１５及びアンテナ１７付近の外観を示す一部破断斜視図である。
【図４】（ａ）は図１の携帯型ＣＤプレーヤ１００の本体筐体１の内部の平面図であり、（ｂ）はその本体筐体１の内部の正面図であり、（ｃ）は図１の携帯型ＣＤプレーヤ１００のカバー筐体２の内部の正面図であり、（ｄ）はそのカバー筐体２の内部の平面図である。
【図５】本発明の変形例に係る携帯型ＣＤプレーヤ１００Ａの外観を示す一部破断斜視図である。
【図６】図５の携帯型ＣＤプレーヤ１００Ａの本体筐体１の内部の平面図であり、（ｂ）はその本体筐体１の内部の正面図であり、（ｃ）は図５の携帯型ＣＤプレーヤ１００Ａのカバー筐体２の内部の正面図であり、（ｄ）はそのカバー筐体２の内部の平面図である。
【符号の説明】
【００２８】
１…本体筐体、
２…カバー筐体、
１０…ＣＤドライブ、
１１…ＣＤ再生回路、
１２…無線送信回路、
１３，１６…インピーダンス整合回路、
１４，１５…給電用コイル、
１４ａ…給電線、
１４ｐ…給電接続点、
１７，１７Ａ…アンテナ、
１７ａ…給電線、
１７ｂ…短絡線、
１７ｃ，１７ｃｐ…アンテナ素子、
１７ｐ…給電点、
１７ｓ…スルーホール導体、
１８，１９…接地導体、
２１…アンテナ、
２２…無線受信回路、
２３…音声再生回路、
２４…出力端子、
２５…イヤホン又はスピーカ、
１００，１００Ａ…携帯型ＣＤプレーヤ、
Ｌ１，Ｌ２…インダクタ、
Ｃ１，Ｃ２…キャパシタ。
【図１】
2008098992.tif 000003
【図２】
2008098992.tif 000004
【図３】
2008098992.tif 000005
【図４】
2008098992.tif 000006
【図５】
2008098992.tif 000007
【図６】
2008098992.tif 000008